(57)【要約】【課題】ドリンク容器を支持する部材に回転軸を固設していない場合であっても水平回転させ得るドリンクホルダーを提供する。【解決手段】ドリンク容器を保持し得る保持体３２と、保持体３２を支持する柱体３３と、柱体３３を取付面に設置し得る取付体３４とを備えたドリンクホルダー３１であって、取付体３４は、柱体３３を側方より差し込み得るよう上下方向の切込５６を形成した挟込部５７と、挟込部５７を軸転可能に内嵌すると共に外部から挟込部５７の切込５６へ連通させる通路切込６１を形成した基部６３とを備え、保持体３２を取付体３４に取り付ける際には、柱体３３を、基部６３の通路切込６１を介して挟込部５７の切込５６へ差し込むことにより保持体３２を挟込部５７で支持し、且つ挟込部５７の軸転により柱体３３を介して保持体３２を水平回動させるよう構成する。【選択図】        図２
2004174033.tif 000002
【特許請求の範囲】
【請求項１】
ドリンク容器を保持し得る保持体と、該保持体を支持する柱体と、該柱体を取付面に設置し得る取付体とを備えたドリンクホルダーであって、前記取付体は、柱体を側方より差し込み得るよう上下方向の切込を形成した挟込部と、該挟込部を軸転可能に内嵌すると共に外部から挟込部の切込へ連通させる通路切込を形成した基部とを備え、前記保持体を取付体に取り付ける際には、柱体を、基部の通路切込を介して挟込部の切込へ差し込むことにより保持体を挟込部で支持し、且つ挟込部の軸転により柱体を介して保持体を水平回動させるよう構成したことを特徴とするドリンクホルダー。
【請求項２】
ドリンク容器を保持し得る保持体と、該保持体を支持する柱体と、該柱体を取付面に設置し得る取付体とを備えたドリンクホルダーであって、前記取付体は、上下方向への貫通孔を形成すると共に貫通孔へ連通させる通路切込を形成し、前記保持体を取付体に支持する際には、柱体を、取付体の通路切込を介して貫通孔へ挿入することにより保持体を取付体の上面で支持し、且つ保持体を貫通孔内で水平回動させるよう構成したことを特徴とするドリンクホルダー。
【請求項３】
ドリンク容器を保持し得る保持体と、該保持体を支持する柱体と、該柱体を取付面に設置し得る取付体とを備えたドリンクホルダーであって、前記取付体は、上下方向への貫通孔を形成すると共に貫通孔へ連通させる通路切込を形成した基部と、貫通孔へ挿入して貫通孔の周方向に沿ってスライドし得る案内部とを備え、前記保持体を取付体に支持する際には、柱体を、取付体の通路切込を介して貫通孔へ挿入し且つ柱体の挿入で形成された貫通孔の隙間に案内部を挿入して保持体を支持し、更に案内部の貫通孔でのスライドにより柱体を介して保持体を水平回動させるよう構成したことを特徴とするドリンクホルダー。
【請求項４】
取付体の両側を挟み込む屈曲形状の両側部と、取付体の下方を支持する突起部と、取付面に取り付けられる接続面とを形成した固定部を備え、取付体を固定部に取り付ける際には、取付体を上方からスライド挿入して両側部及び突起部に掛止するよう構成した請求項１、２又は３に記載のドリンクホルダー。
【請求項５】
ドリンク容器を保持し得る保持体と、該保持体を支持する柱体と、該柱体を取付面に設置し得る取付体とを備えたドリンクホルダーであって、前記保持体は、ドリンク容器の側部を支持し得る上方環状部を形成した側部支持部と、ドリンク容器の底部を支持し得る支持部を下方環状部に設けた底部支持部と、前記上方環状部と下方環状部を上下の先端で巻き込んで接続する連結部とを備え、前記上方環状部及び下方環状部の連結部の位置には、連結部を両側より挟み込むよう直線係止部を形成する凹部を備えたことを特徴とするドリンクホルダー。
【請求項６】
前面を表示面にする表示部本体と、該表示部本体を保持体に接続し得る係止部とからなる表示体を備えた請求項１〜５のいずれかに記載のドリンクホルダー。
【発明の詳細な説明】
【０００１】
【発明の属する技術分野】
本発明は、飲み物を手軽に安定した状態で置き得るよう構成されたドリンクホルダーに関するものである。
【０００２】
【従来の技術】
一般に、パチンコ、スロット等の遊戯台には、缶等のドリンク容器を支持するドリンクホルダーを備えている。
【０００３】
図１４に示す如く、ドリンクホルダー１は、遊戯台のガラス面、枠部、島台等の略垂直な取付面２に両面テープ等の貼付手段３を介して固着される金属プレートの柱体４を備えており、柱体４の上端両側には、取付面２の反対側に延在して相対向する一対の上方腕部５を形成し、柱体４の下端両側には、同様に取付面２の反対側に延在して相対向する一対の下方腕部６を形成し、下方腕部６には、先端から互いに対向する方向に延在する前方支持部７を備えている。
【０００４】
上方腕部５には、水平方向の同一軸線上に位置する係止孔８，８を夫々形成し、下方腕部６には、同様に水平方向の同一軸線上に位置する係止孔９，９を夫々形成し、上方腕部５の係止孔８，８には、線材からなる側部支持部１０を、下方腕部６の係止孔９，９には、同様な線材からなる底部支持部１１を備えている。
【０００５】
ここで、側部支持部１０は、略水平に延在する二本の平行部１２と、平行部１２の先端から互いに離反する方向へ延在して上方腕部５の係止孔８，８に挿入される外曲部１３と、平行部１２の反外曲部側の端部より両者を結ぶよう環状に延在する所定の大きさの上方環状部１４とから形成されており、底部支持部１１は、略水平に延在する二本の平行部１５と、平行部１５の先端から互いに離反する方向へ延在して下方腕部６の係止孔９，９に挿入される外曲部１６と、平行部１５の反外曲部側の端部より両者を結ぶよう環状に延在する所定の大きさの下方環状部１７と、下方環状部１７を径方向に結ぶ波形の支持部１８とから形成されている。
【０００６】
側部支持部１０と底部支持部１１における柱体４の反対側には、上方環状部１４と下方環状部１７の所定位置を巻込んで接続する保持体１９を取り付けており、上方環状部１４と下方環状部１７における連結部１９の両側部分には、金属製もしくはゴム製のストッパー２０を固着し、連結部１９が上方環状部１４及び下方環状部１７の環状に沿ってずれないようにしている。
【０００７】
ドリンクホルダー１を使用する場合には、側部支持部１０の上方環状部１４に缶等のドリンク容器（図示せず）を挿入して側部支持部１０によりドリンク容器の側部を支持させると共に底部支持部１１によりドリンク容器の底部を支持させる。又、ドリンクホルダー１を使用しない場合には、側部支持部１０と底部支持部１１を上方へ回動させる。
【０００８】
又、ドリンクホルダーの中には構造を変形したものがあり、図１５には、構造を変形した他の例のドリンクホルダー２１を示す。なお、図中、図１４と同一の符号を付した部分は同一物を表わしている。
【０００９】
取付構造を変形した他の例のドリンクホルダー２１は、先のドリンクホルダー１と略同様に、側部支持部１０、底部支持部１１、連結部１９を、上方腕部５及び下方腕部６を介して柱体２２に接続しており、柱体２２の中央には、上下方向に延在する回転軸２３を溶接し、柱体２２の後方には、柱体２２と略平行に上下方向に延在する背面板２４と、柱体２２を上下方向に挟み込むよう背面板２４を屈曲して形成される上板部２５及び下板部２６とを備え、背面板２４は、柱体２２の回転軸２３を上板部２５及び下板部２６に軸支することにより、柱体２２等を介し側部支持部１０、底部支持部１１、連結部１９を水平方向に回動し得るように構成している。ここで、回転軸２３の下端には、ワッシャ（図示せず）を介して締付量調整用カラー２７を締結しており、締付量調整用カラー２７の締結の強さによって側部支持部１０等の水平方向の回動の硬さを制御している。
【００１０】
一方、取付面２には、両面テープ２８を介して取り付けられる固定部２９を備えており、固定部２９は、上下方向に延びるプレートの両側を内方へ屈曲して形成した両側部３０を備えており、固定部２９には、背面板２４を上方から下方へスライドさせて、背面板２４を固定部２９の両側部３０に挟み込ませると共に上板部２５を両側部３０の上端に掛止させることにより、側部支持部１０、底部支持部１１、連結部１９を柱体２２、回転軸２３、背面板２４等を介して取付面２へ支持可能にしている。
【００１１】
ドリンクホルダー２１を使用する場合には、先のドリンクホルダー１と略同様に側部支持部１０の上方環状部１４に缶等のドリンク容器（図示せず）を挿入して側部支持部１０によりドリンク容器の側部を支持させると共に底部支持部１１によりドリンク容器の底部を支持させる。又、ドリンクホルダー２１を使用しない場合には、側部支持部１０と底部支持部１１を上方へ回動させる。更に、ドリンクホルダー２１を使用しない場合には、回転軸２３より側部支持部１０と底部支持部１１を水平回動させて横へ退避させる。ここで、上記に示した一例のドリンクホルダー１及び他の例のドリンクホルダー２１に関しては特許文献１及び特許文献２において開示がなされている。
【００１２】
【特許文献１】
登録実用新案第３０２９０４２号公報
【特許文献２】
登録実用新案第３０６１０４１号公報
【００１３】
【発明が解決しようとする課題】
しかしながら、側部支持部１０及び底部支持部１１を水平回動させる構造は、側部支持部１０及び底部支持部１１の柱体２２に回転軸２３を固設した複雑な構造であるため、製造コストが高くなるという問題があった。又、側部支持部１０及び底部支持部１１の柱体２２に回転軸２３を備えていない場合には、水平回転させることが全くできないという問題があった。更に、連結部１９を上方環状部１４及び下方環状部１７に接続する際には、連結部１９が上方環状部１４及び下方環状部１７の環状に沿ってずれないようストッパー２０を複数箇所（図１４、図１５では４ケ所）に取り付ける必要があるため、手間と時間がかかり、結果的に製造コストが高くなるという問題があった。
【００１４】
本発明は、上述の実情に鑑み、製造コストを低減すると共に、ドリンク容器を支持する部材に回転軸を固設していない場合であっても水平回転させ得るドリンクホルダーを提供することを目的とするものである。
【００１５】
【課題を解決するための手段】
本発明の請求項１に記載のドリンクホルダーは、ドリンク容器を保持し得る保持体と、該保持体を支持する柱体と、該柱体を取付面に設置し得る取付体とを備えたドリンクホルダーであって、前記取付体は、柱体を側方より差し込み得るよう上下方向の切込を形成した挟込部と、該挟込部を軸転可能に内嵌すると共に外部から挟込部の切込へ連通させる通路切込を形成した基部とを備え、前記保持体を取付体に取り付ける際には、柱体を、基部の通路切込を介して挟込部の切込へ差し込むことにより保持体を挟込部で支持し、且つ挟込部の軸転により柱体を介して保持体を水平回動させるよう構成したものである。
【００１６】
本発明の請求項２に記載のドリンクホルダーは、ドリンク容器を保持し得る保持体と、該保持体を支持する柱体と、該柱体を取付面に設置し得る取付体とを備えたドリンクホルダーであって、前記取付体は、上下方向への貫通孔を形成すると共に貫通孔へ連通させる通路切込を形成し、前記保持体を取付体に支持する際には、柱体を、取付体の通路切込を介して貫通孔へ挿入することにより保持体を取付体の上面で支持し、且つ保持体を貫通孔内で水平回動させるよう構成したものである。
【００１７】
本発明の請求項３に記載のドリンクホルダーは、ドリンク容器を保持し得る保持体と、該保持体を支持する柱体と、該柱体を取付面に設置し得る取付体とを備えたドリンクホルダーであって、前記取付体は、上下方向への貫通孔を形成すると共に貫通孔へ連通させる通路切込を形成した基部と、貫通孔へ挿入して貫通孔の周方向に沿ってスライドし得る案内部とを備え、前記保持体を取付体に支持する際には、柱体を、取付体の通路切込を介して貫通孔へ挿入し且つ柱体の挿入で形成された貫通孔の隙間に案内部を挿入して保持体を支持し、更に案内部の貫通孔でのスライドにより柱体を介して保持体を水平回動させるよう構成したものである。
【００１８】
本発明の請求項１、２又は３に記載のドリンクホルダーは、請求項４に示す如く、取付体の両側を挟み込む屈曲形状の両側部と、取付体の下方を支持する突起部と、取付面に取り付けられる接続面とを形成した固定部を備え、取付体を固定部に取り付ける際には、取付体を上方からスライド挿入して両側部及び突起部に掛止するよう構成してもよい。
【００１９】
本発明の請求項５に記載のドリンクホルダーは、ドリンク容器を保持し得る保持体と、該保持体を支持する柱体と、該柱体を取付面に設置し得る取付体とを備えたドリンクホルダーであって、前記保持体は、ドリンク容器の側部を支持し得る上方環状部を形成した側部支持部と、ドリンク容器の底部を支持し得る支持部を下方環状部に設けた底部支持部と、前記上方環状部と下方環状部を上下の先端で巻き込んで接続する連結部とを備え、前記上方環状部及び下方環状部の連結部の位置には、連結部を両側より挟み込むよう直線係止部を形成する凹部を備えたものである。
【００２０】
本発明の請求項１〜５のいずれかに記載のドリンクホルダーは、請求項６に示す如く、前面を表示面にする表示部本体と、該表示部本体を保持体に接続し得る係止部とからなる表示体を備えてもよい。
【００２１】
このように、本発明の請求項１、２又は３によれば、ドリンク容器を保持し得る保持体を水平回動させる際には、取付体に対して柱体を軸転させることにより保持体を水平回転させるので、柱体に回転軸を固設するような複雑な構造を不要とし、結果的に製造コストを低減することができる。又、保持体を支持する柱体に回転軸を備えていない場合であっても、取付体に対して柱体を軸転させるので、回転軸の有無に関係なく保持体を水平回転させることができる。更に、柱体を取付体への差し込みにより保持体を取付体に接続するので、回動構成の組み立てを容易にし、結果的に取扱いを簡易にすることができる。又、保持体等が破損した場合に容易に交換することができる。
【００２２】
更に、本発明の請求項１によれば、挟込部に柱体を挟み込んで軸転させるので、柱体を介して保持体を安定的に水平回動させることができる。請求項２によれば、取付体は、柱体を軸転させる貫通孔と、保持体を支持する上面とを備えるのみで保持体を回動させるので、部品点数を低減して製造コストを一層低減することができる。請求項３によれば、案内部の大きさを変更することにより水平回動の硬さ及び柱体の締結を調整し得るので、保持体を適切に水平回動させると共に確実に保持することができる。
【００２３】
本発明の請求項４に示す如く、取付体の両側を挟み込む屈曲形状の両側部と、取付体の下方を支持する突起部と、取付面に取り付けられる接続面とを形成した固定部を備え、取付体を固定部に取り付ける際には、取付体を上方からスライド挿入して両側部及び突起部に掛止するよう構成すると、保持体、柱体及び取付体を予め組み立てておくことにより、保持体を取付面に迅速に接続することができる。又、保持体等が破損した場合に容易に交換することができる。
【００２４】
本発明の請求項５によれば、上方環状部及び下方環状部には、連結部を両側より挟み込むよう直線係止部を形成した凹部を備えるので、連結部が上方環状部及び下方環状部の環状に沿ってずれることを防止し、しかも、ストッパー等の他の部材を不要にするので、製造コストを低減することができる。
【００２５】
本発明の請求項６に示す如く、前面を表示面にする表示部本体と、該表示部本体を保持体に接続し得る係止部とからなる表示体を備えると、保持体の見栄えを向上させることができると共に、表示面の表記により種々の情報を知らせることができる。
【００２６】
【発明の実施の形態】
以下、本発明の実施の形態を図面に基いて説明する。
【００２７】
図１〜図７は本発明のドリンクホルダーの実施の形態の第一例を示すものである。
【００２８】
第一例のドリンクホルダー３１は、ドリンク容器（図示せず）を保持し得る保持体３２と、保持体３２を支持する柱体３３と、柱体３３を取付面（図示せず）に設置し得る取付体３４とを備えている。
【００２９】
保持体３２は、ドリンク容器の側部を支持し得る線体の側部支持部３５と、ドリンク容器の底部を支持し得る線体の底部支持部３６と、側部支持部３５と底部支持部３６を連結する線体の連結部３７とを備えており、側部支持部３５には、所定の大きさの上方環状部３８と、上方環状部３８の両端から外方へ延在する略水平な二本の平行部３９と、平行部３９の先端から互いに離反する方向へ延在する外曲部４０とを備え、底部支持部３６には、所定の大きさの下方環状部４１と、下方環状部４１の両端から外方へ延在する略水平な二本の平行部４２と、平行部４２の先端から互いに離反する方向へ延在する外曲部４３と、下方環状部４１を径方向に結ぶ波形の支持部４４とを備えており、連結部３７には、上下に延在する延在部４５を備えると共に、延在部４５の上下の先端を巻き込むことにより上方環状部３８の中央と下方環状部４１の中央とを接続する先端部４５ａを備えている。
【００３０】
ここで、連結部３７の延在部４５には表示体４６を着脱可能に備えており、表示体４６は、保持体３２の前面を所定範囲で覆うよう湾曲して形成されると共に前面を表示面にして「新台」等の情報やデザインが表記される表示部本体４７と、表示部本体４７を連結部３７の延在部４５を挟み込むよう裏面側に位置する腕状の係止部４８とから構成されている。
【００３１】
ドリンクホルダー３１の柱体３３は、金属プレートの上端両側から延在する一対の上方腕部４９と、金属プレートの下端両側から延在する一対の下方腕部５０と、下方腕部５０の先端から互いに対向する方向に延在する前方支持部５１とを備えており、上方腕部４９には、水平方向の同一軸線上に位置する係止孔５２，５２を夫々形成し、下方腕部５０には、同様に水平方向の同一軸線上に位置する係止孔５３，５３を夫々形成し、上方腕部４９の係止孔５２には、側部支持部３５の外曲部４０を、下方腕部５０の係止孔５３には、底部支持部３６の外曲部４３を挿入することにより、柱体３３に保持体３２を支持させている。
【００３２】
ドリンクホルダー３１の取付体３４は、上面５４から下面５５まで上下方向に延在する一本のスリット状の切込５６を側面に形成した円柱状の挟込部５７と、挟込部５７を軸転可能に内嵌し得る貫通孔５８を形成すると共に外部から挟込部５７の切込５６へ連通させるよう上面５９から下面６０まで上下方向に延在するスリット状の通路切込６１を裏面６２に形成した基部６３とを備え、基部６３は、通路切込６１を形成した裏面６２を略垂直面に形成すると共に、裏面６２と隣接の側面６４で形成される両側の角部６５を上から見て夫々鋭角になるよう構成している。
【００３３】
一方、遊戯台のガラス面、枠部、島台等の略垂直な取付面（図示せず）には、固定部６６を備えており、固定部６６は、図３に示す如く、上下方向に延びるプレートを上から見て、垂直より若干内方へ屈曲した略矩形の両側部６７と、両側部６７の間に位置して取付面への接続面を形成する背部６８と、背部６８の下端に位置して反取付面側へ突出する突起部６９とを備え、背部６８の接続面には、取付面に対して接着固定するための両面テープ等の貼付手段７０を取り付け、或いは、背部６８には、ボルトによって取付面に固定するための複数のボルト孔７１（図３では一個）を形成している。なお、貼付手段７０とボルト孔７１は、少くとも、どちらか一方を設けるようにすれば良い。又、本発明にかかるドリンクホルダー３１は、材質の全部又は一部を、ステンレス等の金属製やプラスチック等の樹脂製にすることができる。
【００３４】
以下、本発明の実施の形態の第一例の作用を説明する。
【００３５】
第一例のドリンクホルダー３１を組み立てる際には、初めに図２に示す如く、基部６３の貫通孔５８に挟込部５７を内嵌した取付体３４を準備し、柱体３３の側面３３ａを基部６３の通路切込６１を介して挟込部５７の切込５６へ差し込むことにより柱体３３を介して保持体３２を挟込部５７で支持する。次に図３に示す如く、基部６３と挟込部５７を軸転させて基部６３の裏面６２を保持体３２の反対側に向け、固定部６６に対して取付体３４の基部６３の裏面６２が面するよう取付体３４を上方からスライド挿入し、基部６３の角部６５を固定部６６の両側部６７に掛止させると共に基部６３の裏面６２の下端を固定部６６の突起部６９に掛止させることにより固定部６６、取付体３４、柱体３３を介して保持体３２を取付面に取り付ける。続いて図４に示す如く、連結部３７の延在部４５には、腕状の係止部４８を挟み込んで表示体４６を取り付け、側部支持部３５と底部支持部３６と共に保持体３２の前面を所定範囲で覆う。なお、表示体４６を連結部３７に取り付ける手順は初めの段階でもよいし、途中の段階でもよい。又、ドリンクホルダー３１を取り外す際には、逆の手順で分解し取り外す。
【００３６】
第一例のドリンクホルダー３１を使用する場合には、側部支持部３５の上方環状部３８に缶等のドリンク容器（図示せず）を挿入して側部支持部３５によりドリンク容器の側部を支持させると共に底部支持部３６によりドリンク容器の底部を支持させる。又、ドリンクホルダー３１を使用しない場合には、側部支持部３５と底部支持部３６を上方へ回動させる。更に、ドリンクホルダー３１を使用しない場合には、基部６３に対する挟込部５７の軸転により柱体３３を介して保持体３２を水平回動させて横へ退避させる。
【００３７】
このように、第一例のドリンクホルダー３１によれば、ドリンク容器を保持し得る保持体３２を水平回動させる際には、取付体３４の基部６３に対して挟込部５７及び柱体３３を軸転させることにより保持体３２を水平回転させるので、柱体３３に回転軸を固設するような複雑な構造を不要とし、結果的に製造コストを低減することができる。又、保持体３２を支持する柱体３３に回転軸を備えていない場合であっても、取付体３４に対して柱体３３を軸転させるので、回転軸の有無に関係なく保持体３２を水平回転させることができる。更に、柱体３３を取付体３４への差し込み及び引き抜きにより保持体３２を取付体３４に着脱するので、回動の構成の組み立て及び分解を極めて容易にし、結果的に取扱いを簡易にすることができる。又、保持体３２等が破損した場合に容易に交換することができる。更に、挟込部５７に柱体３３を挟み込んで軸転させるので、柱体３３を介して保持体３２を安定的に水平回動させることができる。
【００３８】
取付体３４の両側を挟み込む屈曲形状の両側部６７と、取付体３４の下方を支持する突起部６９と、取付面に取り付けられる接続面とを形成した固定部６６を備え、取付体３４を固定部６６に取り付ける際には、取付体３４を上方からスライド挿入して両側部６７及び突起部６９に掛止するよう構成すると、保持体３２、柱体３３及び取付体３４を予め組み立てておくことにより、保持体３２を取付面に迅速に接続することができる。又、保持体等が破損した場合に容易に交換することができる。
【００３９】
前面を表示面にする表示部本体４７と、該表示部本体４７を保持体３２の連結部３７に接続し得る係止部４８とからなる表示体４６を備えると、保持体３２の見栄えを向上させることができると共に、表示面の表記により種々の情報を知らせることができる。
【００４０】
図８は、本発明のドリンクホルダーの実施の形態の第二例を示すものであり、第一例の取付体３４の構造を変形したものである。なお、図中、図１〜図７と同一の符号を付した部分は同一物を表わしている。
【００４１】
第二例のドリンクホルダー７２の取付体７３は、上面７４から下面７５まで円柱空間の貫通孔７６を形成すると共に外部から貫通孔７６へ連通させるよう上面７４から下面７５まで上下方向に延在するスリット状の通路切込７７を形成しており、又、第一例と略同様に、通路切込７７を形成した面を略垂直な裏面７８に形成すると共に、裏面６２と隣接の側面７９で形成される両側の角部８０を上から見て夫々鋭角になるよう構成している。
【００４２】
以下、本発明の実施の形態の第二例の作用を説明する。
【００４３】
第二例のドリンクホルダー７２を組み立てる際には、図８に示す如く、柱体３３の側面３３ａを取付体７３の通路切込７７を介して貫通孔７６へ挿入することにより柱体３３の上方腕部４９を介して保持体３２を取付体７３の上面７４で支持する。次に、取付体７３と柱体３３を貫通孔７６内で軸転させて取付体７３の裏面７８を保持体３２の反対側に向け、固定部６６に対して取付体７３の裏面７８が面するよう取付体７３を上方からスライド挿入し、取付体７３の角部８０を固定部６６の両側部６７に掛止させると共に取付体７３の裏面７８の下端を固定部６６の突起部６９に掛止させることにより固定部６６、取付体７３、柱体３３を介して保持体３２を取付面に取り付ける。続いて、連結部３７の延在部４５には第一例と略同様に表示体４６を取り付けてもよい。又、ドリンクホルダー７２を取り外す際には、逆の手順で分解し取り外す。
【００４４】
第二例のドリンクホルダー７２を使用する場合には、第一例と略同様に、側部支持部３５の上方環状部３８に缶等のドリンク容器（図示せず）を挿入して側部支持部３５によりドリンク容器の側部を支持させると共に底部支持部３６によりドリンク容器の底部を支持させる。又、ドリンクホルダー７２を使用しない場合には、第一例と略同様に、側部支持部３５と底部支持部３６を上方へ回動させる。更に、ドリンクホルダー７２を使用しない場合には、取付体７３の貫通孔７６に対する柱体３３の軸転により保持体３２を水平回動させて横へ退避させる。
【００４５】
このように、第二例のドリンクホルダー７２によれば、ドリンク容器を保持し得る保持体３２を水平回動させる際には、取付体７３の貫通孔７６に対して柱体３３を軸転させることにより保持体３２を水平回転させるので、柱体３３に回転軸を固設するような複雑な構造を不要とし、結果的に製造コストを低減することができる。又、取付体７３は、柱体３３を軸転させる貫通孔７６と、保持体３２を支持する上面７４とを備えるのみで保持体３２を回動させるので、部品点数を低減して製造コストを一層低減することができる。更に、第二例によれば、第一例と同様の作用効果を得ることができる。
【００４６】
図９、図１０は、本発明のドリンクホルダーの実施の形態の第三例を示すものであり、第一例の取付体３４の構造を更に変形したものである。なお、図中、図１〜図７と同一の符号を付した部分は同一物を表わしている。
【００４７】
第三例のドリンクホルダー８１の取付体８２は、上面８３から下面８４まで円柱空間の貫通孔８５を形成すると共に外部から貫通孔８５へ連通させるよう上面８３から下面８４まで上下方向に延在するスリット状の通路切込８６を形成した基部８７と、基部８７の貫通孔８５へ挿入し得ると共に円柱体を半割にした形状の２つの案内部８８ａ，８８ｂとを備えている。ここで、貫通孔８５の上部には円周上のガイド溝８９を形成し、案内部８８ａ，８８ｂの上部には、ガイド溝８９に掛止し得る縁部９０を形成している。又、第一例と略同様に、通路切込８６を形成した面を略垂直な裏面９１に形成すると共に、裏面９１と隣接の側面９２で形成される両側の角部９３を上から見て夫々鋭角になるよう構成している。
【００４８】
以下、本発明の実施の形態の第三例の作用を説明する。
【００４９】
第三例のドリンクホルダー８１を組み立てる際には、初めに図９に示す如く、基部８７の貫通孔８５に一つ目の案内部８８ａを内嵌した取付体８２を準備し、柱体３３の側面３３ａを取付体８２の通路切込８６を介して貫通孔８５へ挿入し、柱体３３の位置を決定する。次に図１０に示す如く、柱体３３の挿入で形成された貫通孔８５の隙間に２つ目の案内部８８ｂを挿入して保持体３２を支持し、更に、取付体８２と柱体３３を貫通孔８５内で軸転させて取付体８２の裏面９１を保持体３２の反対側に向け、固定部６６に対して取付体８２の基部８７の裏面９１が面するよう取付体８２を上方からスライド挿入し、取付体８２の角部９３を固定部６６の両側部６７に掛止させると共に取付体８２の裏面９１の下端を固定部６６の突起部６９に掛止させることにより固定部６６、取付体８２、柱体３３を介して保持体３２を取付面に取り付ける。続いて、連結部３７の延在部４５には第一例と略同様に表示体４６を取り付けてもよい。又、ドリンクホルダー８１を取り外す際には、逆の手順で分解し取り外す。
【００５０】
第三例のドリンクホルダー８１を使用する場合には、第一例と略同様に、側部支持部３５の上方環状部３８に缶等のドリンク容器（図示せず）を挿入して側部支持部３５によりドリンク容器の側部を支持させると共に底部支持部３６によりドリンク容器の底部を支持させる。又、ドリンクホルダー８１を使用しない場合には、第一例と略同様に、側部支持部３５と底部支持部３６を上方へ回動させる。更に、ドリンクホルダー８１を使用しない場合には、基部８７に対する柱体３３及び案内部８８ａ，８８ｂの軸転により保持体３２を水平回動させて横へ退避させる。
【００５１】
このように、第三例のドリンクホルダー８１によれば、ドリンク容器を保持し得る保持体３２を水平回動させる際には、取付体８２の基部８７に対して柱体３３及び案内部８８ａ，８８ｂを軸転させることにより保持体３２を水平回転させるので、柱体３３に回転軸を固設するような複雑な構造を不要とし、結果的に製造コストを低減することができる。又、案内部８８ａ，８８ｂの大きさを変更することにより水平回動の硬さ及び柱体３３の締結を調整し得るので、保持体３２を適切に水平回動させると共に確実に保持することができる。更に、第三例によれば、第一例と同様の作用効果を得ることができる。
【００５２】
図１１、図１２は、本発明のドリンクホルダーの実施の形態の第四例を示すものであり、図１３は、本発明のドリンクホルダーの実施の形態の第五例を示すものであり、夫々、従来例の連結部１９を接続する上方環状部３８と下方環状部４１の形状を同様に変形したものである。なお、図中、図１４、図１５と同一の符号を付した部分は同一物を表わしている。
【００５３】
第四例及び第五例のドリンクホルダー９４，９５の側部支持部９６の上方環状部９７と底部支持部９８の下方環状部９９は、中央位置に、連結部１９を両側より挟み込むよう直線係止部１００と、連結部１９の先端部１９ａによって巻き込まれる直線支持部１０１とを形成する凹部１０２を備えている。ここで、上方環状部９７と下方環状部９９に凹部１０２を備える構成は、図１〜図１０に示す実施例にも適用しており、更に他の実施例に適用してもよい。
【００５４】
以下、本発明の実施の形態の第四例及び第五例の作用を説明する。
【００５５】
第四例及び第五例のドリンクホルダー９４，９５を使用する場合には、側部支持部９６の上方環状部９７に缶等のドリンク容器（図示せず）を挿入して側部支持部９６によりドリンク容器の側部を支持させると共に底部支持部９８によりドリンク容器の底部を支持させる。又、ドリンクホルダー９４，９５を使用しない場合には、側部支持部９６と底部支持部９８を上方へ回動させる。
【００５６】
このように、第四例及び第五例のドリンクホルダー９４，９５によれば、上方環状部９７及び下方環状部９９には、連結部１９を両側より挟み込むよう直線係止部１００を形成した凹部１０２を備えるので、連結部１９が上方環状部９７及び下方環状部９９の環状に沿ってずれることを防止し、しかも、ストッパー等の他の部材を不要にするので、製造コストを低減することができる。
【００５７】
なお、本発明は、上述の実施の形態にのみ限定されるものではなく、第一例〜第三例のドリンクホルダーの基部に対して柱体が軸転し得るならば貫通孔は円柱状の空間でなくてもよいこと、その他、本発明の要旨を逸脱しない範囲内において種々変更を加え得ることは勿論である。
【００５８】
【発明の効果】
以上説明したように、本発明のドリンクホルダーによれば、下記のような優れた効果を奏し得る。
【００５９】
Ｉ）本発明の請求項１、２又は３によれば、ドリンク容器を保持し得る保持体を水平回動させる際には、取付体に対して柱体を軸転させることにより保持体を水平回転させるので、柱体に回転軸を固設するような複雑な構造を不要とし、結果的に製造コストを低減することができる。又、保持体を支持する柱体に回転軸を備えていない場合であっても、取付体に対して柱体を軸転させるので、回転軸の有無に関係なく保持体を水平回転させることができる。更に、柱体を取付体への差し込みにより保持体を取付体に接続するので、回動構成の組み立てを容易にし、結果的に取扱いを簡易にすることができる。又、保持体等が破損した場合に容易に交換することができる。
【００６０】
ＩＩ）更に、本発明の請求項１によれば、挟込部に柱体を挟み込んで軸転させるので、柱体を介して保持体を安定的に水平回動させることができる。請求項２によれば、取付体は、柱体を軸転させる貫通孔と、保持体を支持する上面とを備えるのみで保持体を回動させるので、部品点数を低減して製造コストを一層低減することができる。請求項３によれば、案内部の大きさを変更することにより水平回動の硬さ及び柱体の締結を調整し得るので、保持体を適切に水平回動させると共に確実に保持することができる。
【００６１】
ＩＩＩ）本発明の請求項４に示す如く、取付体の両側を挟み込む屈曲形状の両側部と、取付体の下方を支持する突起部と、取付面に取り付けられる接続面とを形成した固定部を備え、取付体を固定部に取り付ける際には、取付体を上方からスライド挿入して両側部及び突起部に掛止するよう構成すると、保持体、柱体及び取付体を予め組み立てておくことにより、保持体を取付面に迅速に接続することができる。又、保持体等が破損した場合に容易に交換することができる。
【００６２】
ＩＶ）本発明の請求項５によれば、上方環状部及び下方環状部には、連結部を両側より挟み込むよう直線係止部を形成した凹部を備えるので、連結部が上方環状部及び下方環状部の環状に沿ってずれることを防止し、しかも、ストッパー等の他の部材を不要にするので、製造コストを低減することができる。
【００６３】
Ｖ）本発明の請求項６に示す如く、前面を表示面にする表示部本体と、該表示部本体を保持体に接続し得る係止部とからなる表示体を備えると、保持体の見栄えを向上させることができると共に、表示面の表記により種々の情報を知らせることができる。
【図面の簡単な説明】
【図１】本発明のドリンクホルダーの実施の形態の第一例を示す概略斜視図である。
【図２】本発明のドリンクホルダーの第一例を組み立てる際の第一段階を示す概略斜視図である。
【図３】本発明のドリンクホルダーの第一例を組み立てる際の第二段階を示す概略斜視図である。
【図４】本発明のドリンクホルダーの第一例に表示体を取り付ける状態を示す概略斜視図である。
【図５】表示体の前面を示す概略図である。
【図６】表示体の後面を示す概略図である。
【図７】図５のＶＩＩ−ＶＩＩ矢視図である。
【図８】本発明のドリンクホルダーの第二例を組み立てる際の状態を示す概略斜視図である。
【図９】本発明のドリンクホルダーの第三例を組み立てる際の第一段階を示す概略斜視図である。
【図１０】本発明のドリンクホルダーの第三例を組み立てる際の第二段階を示す概略斜視図である。
【図１１】本発明のドリンクホルダーの実施の形態の第四例を示す概略斜視図である。
【図１２】凹部を示す拡大平面図である。
【図１３】本発明のドリンクホルダーの実施の形態の第五例を示す概略斜視図である。
【図１４】従来のドリンクホルダーの一例を示す概略図である。
【図１５】従来のドリンクホルダーの他の例を示す概略図である。
【符号の説明】
３１      第一例のドリンクホルダー
３２      保持体
３３      柱体
３３ａ  側面
３４      取付体
３５      側部支持部
３６      底部支持部
３７      連結部
３８      上方環状部
４１      下方環状部
４４      支持部
４５      延在部
４６      表示体
４７      表示部本体
４８      係止部
５６      切込
５７      挟込部
６１      通路切込
６３      基部
６６      固定部
６７      両側部
６９      突起部
７２      第二例のドリンクホルダー
７３      取付体
７４      上面
７６      貫通孔
７７      通路切込
８１      第三例のドリンクホルダー
８２      取付体
８５      貫通孔
８６      通路切込
８７      基部
８８ａ  案内部
８８ｂ  案内部
９４        第四例のドリンクホルダー
９５        第五例のドリンクホルダー
９６    側部支持部
９７      上方環状部
９８    底部支持部
９９      下方環状部
１００    直線係止部
１０２    凹部
【図１】
2004174033.tif 000003
【図２】
2004174033.tif 000004
【図３】
2004174033.tif 000005
【図４】
2004174033.tif 000006
【図５】
2004174033.tif 000007
【図６】
2004174033.tif 000008
【図７】
2004174033.tif 000009
【図８】
2004174033.tif 000010
【図９】
2004174033.tif 000011
【図１０】
2004174033.tif 000012
【図１１】
2004174033.tif 000013
【図１２】
2004174033.tif 000014
【図１３】
2004174033.tif 000015
【図１４】
2004174033.tif 000016
【図１５】
2004174033.tif 000017